(57)【要約】【課題】色の特徴を容易に得ることができる色感出力装置を提供する。【解決手段】色感出力装置１は、予め定めた複数の色を記憶する記憶部と、対象物の色を特定する所定のデータを入力する第一入力部と、色、イメージ及びシチュエーションを対応して出力する出力部１３と、記憶部に記憶された色のうち、第一入力部から入力された色を特定する所定のデータに近似する色を選択して、該選択した色、並びに色に対応するイメージ及びシチュエーションを、出力部により出力させる制御部と、を備える。【選択図】  図１
2020118975.tif 000002
【特許請求の範囲】
【請求項１】
予め定めた複数の色を記憶する記憶部と、
対象物の色を特定する所定のデータを入力する第一入力部と、
前記色、前記色のイメージ及び前記色が使用されるシチュエーションを対応して出力する出力部と、
前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部と、
を備えることを特徴とする色感出力装置。
【請求項２】
前記対象物の色を特定する所定のデータを検出する検出部を有し、
前記第一入力部は、前記検出部により検出された前記対象物の色を特定する所定のデータを入力することを特徴とする請求項１に記載の色感出力装置。
【請求項３】
前記対象物を撮影するための撮影部と、前記撮影部により撮影された前記対象物の画像データから前記対象物の色を特定する所定のデータを検出する検出部と、を有し、
前記第一入力部は、前記検出部により検出された前記対象物の色を特定する所定のデータを入力することを特徴とする請求項１に記載の色感出力装置。
【請求項４】
前記撮影部により撮影された前記対象物の画像データを入力する画像データ入力部を有し、
前記検出部は、前記画像データ入力部により入力された前記画像データから前記対象物の色を検出して特定することを特徴とする請求項３に記載の色感出力装置。
【請求項５】
前記対象物を外部から遮蔽する遮蔽具を有することを特徴とする請求項１乃至請求項４の何れか一項に記載の色感出力装置。
【請求項６】
前記遮蔽具は、前記対象物を全方向から遮蔽することを特徴とする請求項５に記載の色感出力装置。
【請求項７】
前記撮影部は、所定のレンズ部を介して前記対象物の画像データを撮影するとともに、前記遮蔽具は、所定の穴が設けられ、
前記レンズ部の位置を前記遮蔽具における所定の穴の位置に対応させて前記対象物を撮影することを特徴とする請求項５又は請求項６に記載の色感出力装置。
【請求項８】
色感出力装置のコンピュータを、
予め定めた複数の色を記憶する記憶部と、
対象物の色を特定する所定のデータを入力する第一入力部と、
前記色、前記色のイメージ及び前記色が使用されるシチュエーションを対応して出力する出力部と、
前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部として機能させることを特徴とするプログラム。
【請求項９】
請求項８に記載のプログラムを記憶することを特徴とするコンピュータ読み取り可能な記憶媒体。
【発明の詳細な説明】
【技術分野】
【０００１】
本発明は、色感出力装置に関する。
【背景技術】
【０００２】
従来から評価対象物の特性が使用者の用途などに適しているかを判定する装置が提案されている。例えば、特許文献１には、評価対象のデザイン画像の材質感が、対象者・用途・目的などの感性表現に合致しているか否かを評価するデザイン評価装置が開示されている。
【先行技術文献】
【特許文献】
【０００３】
【特許文献１】実開２０１７−９１３１０号公報
【発明の概要】
【発明が解決しようとする課題】
【０００４】
ファッションやブランディング等における色の選択では、視覚的効果を考慮して戦略的に行うことが望ましいが、専門的な知見を有さないカラーデザインに不慣れな者にとっては目的に応じた効果的な色の選択が困難な場合がある。
本発明は、以上の点に鑑み、色の特徴を容易に得ることができる色感出力装置を提供することを目的とする。
【課題を解決するための手段】
【０００５】
本発明の色感出力装置は、予め定めた複数の色を記憶する記憶部と、対象物の色を特定する所定のデータを入力する第一入力部と、前記色、前記色を特定する所定のデータ、前記色のイメージ及び前記色が使用されるシチュエーションを対応して出力する出力部と、前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部と、を備えることを特徴とする。
【０００６】
ここで、同色感出力装置は、前記対象物の色を特定する所定のデータを検出する検出部を有し、前記第一入力部は、前記検出部により検出された前記対象物の色を特定する所定のデータを入力することができる。
【０００７】
また、同色感出力装置は、前記対象物を撮影するための撮影部と、前記撮影部により撮影された前記対象物の画像データから前記対象物の色を特定する所定のデータを検出する検出部と、を有し、前記第一入力部は、前記検出部により検出された前記対象物の色を特定する所定のデータを入力することができる。
【０００８】
更に、同色感出力装置は、前記撮影部により撮影された前記対象物の画像データを入力する画像データ入力部を有し、前記検出部は、前記画像データ入力部により入力された前記画像データから前記対象物の色を検出して特定することができる。
【０００９】
更にまた、同色感出力装置は、前記対象物を外部から遮蔽する遮蔽具を有することができる。
【００１０】
また更に、前記遮蔽具は、前記対象物を全方向から遮蔽することができる。
【００１１】
また、前記撮影部は、所定のレンズ部を介して前記対象物の画像データを撮影するとともに、前記遮蔽具は、所定の穴が設けられ、前記レンズ部の位置を前記遮蔽具における所定の穴の位置に対応させて前記対象物を撮影することができる。
【００１２】
本発明のプログラムは、色感出力装置のコンピュータを、予め定めた複数の色を記憶する記憶部と、対象物の色を特定する所定のデータを入力する第一入力部と、前記色、前記色のイメージ及び前記色が使用されるシチュエーションを対応して出力する出力部と、前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部として機能させることを特徴とする。
【００１３】
本発明のコンピュータ読み取り可能な記憶媒体は、上記のプログラムを記憶することを特徴とする。
【発明の効果】
【００１４】
本発明の色感出力装置によれば、色の特徴を容易に得ることができる色感出力装置を提供することができる。
【図面の簡単な説明】
【００１５】
【図１】本発明の実施形態の色感出力装置の全体構成を示す斜視図である。
【図２】本発明の実施形態の検出装置の構成を示す斜視図である。
【図３】本発明の実施形態の出力装置の構成を示す図で、（ａ）は平面図、（ｂ）は側面図である。
【図４】本発明の実施形態の色感出力装置のブロック図である。
【図５】本発明の実施形態の色テーブルの構成を示す図である。
【図６】本発明の実施形態の点字ディスプレイの第一出没モードの構成を示す図である。
【図７】本発明の実施形態の点字ディスプレイの第二出没モードの構成を示す図である。
【図８】本発明の実施形態の変形例に係る色感出力装置の検出装置の構成を示すブロック図である。
【図９】同変形例に係る端末装置の構成を示す平面図で、（ａ）は表面側の構成を示す平面図、（ｂ）は裏面側の構成を示す平面図である。
【図１０】同変形例に係る遮蔽具を使用した状態を示す平面図である。
【図１１】同変形例に係る遮蔽具の構成を示す図で、（ａ）は平面図、（ｂ）は（ａ）のＡＡ断面図、（ｃ）は（ａ）のＢＢ断面図である。
【図１２】同変形例に係る色感出力装置の全体構成を示すブロック図である。
【図１３】本発明の色感出力装置のコンピュータの構成を示すブロック図である。
【発明を実施するための形態】
【００１６】
以下、本発明の実施形態について図面を用いて説明する。図１は、色感出力装置１の全体構成を示す斜視図、図２は、検出装置の構成を示す図、図３は、出力装置３の構成を示す図である。色感出力装置１は、被服等の評価する対象物の色を読み取って、その対象物が持つイメージや利用に適したシチュエーションを出力して使用者に提示することができる装置である。
【００１７】
色感出力装置１は、検出装置２と出力装置３とを有する。検出装置２は、略長尺板状に形成されて、検出部１１と把持部１２とを有する。検出部１１は、色を特定する所定のデータより詳しくは色に関するデータ（以下、色を特定する所定のデータより詳しくは色に関するデータは、色データとする場合がある）を検出する機能部となる。なお、検出装置２は、検出部１１の機能を色彩計により行うことができ、色彩計は、三刺激値Ｘ、Ｙ、Ｚを数値化する測定器（測色器）とすることができる（色彩計は、赤色、緑色、青色の三刺激を測定して数値化することができる）。すなわち、色データは、色彩計における所定のセンサーを用いて三刺激値Ｘ、Ｙ、Ｚの３つの値を測定し、測定した三刺激値からＸＹＺ表色系（ＸＹＺ表色系とは、ＲＧＢ表色系を単純な一次変換で負の値が現れないように、ＣＩＥが１９３１年に定めたもの）における対象物の色に関する数値を取得して特定することができる。表色系は、ＸＹＺ表色系の他、Ｌ＊ａ＊ｂ＊ 表色系（Ｌ＊ａ＊ｂ＊ 表色系とは、ＣＩＥ Ｌ＊ａ＊ｂ＊であり、ＸＹＺ表色系から知覚と装置の違いによる色差を測定するために派生したものであり、ＪＩＳ  Ｚ  ８７２９に規定されている）を用いることも可能であり、検出装置２の検出部１１の機能は、色彩計の他、分光測色計により行うことも可能である。
【００１８】
把持部１２は、検出部１１と接続されており、略矩形板状に形成される。使用者は、把持部１２を手にもって検出部１１を対象物に近づけることができる。把持部１２には、電源スイッチＳＷ１が設けられる。電源スイッチＳＷ１は、図１に例示するスライドスイッチを用いることができるが、プッシュボタンスイッチ等の他の構成としてもよい。また、把持部１２には、後述するブロック１４の出没動作をオンオフする出没スイッチＳＷ２が設けられる。出没スイッチＳＷ２のオンオフにより駆動部３３１の駆動をオンオフしブロック１４の出没動作を制御する。
【００１９】
出力装置３は、表示部１３を有する。表示部１３には、把持部１２の板面から外方に出没可能な板状の複数のブロック１４（１４１,１４２,１４３，・・・１４ｎ）が配置される。図３のブロック１４は、待機状態において把持部１２の板面よりやや突出しているが、待機状態において把持部１２内に没入させてもよい。
【００２０】
出力装置３の裏面等には音声を出力するスピーカ３３３が設けられる。また、表示部１３付近には、ＬＥＤ等の発光部３３２が設けられる。発光部３３２は、例えば、ブロック１４の一部又は全体を半透明に形成して、出力装置３の内部に配置して発光させた光を外部に透光させる構成とすることができる。発光部３３２は、各ブロック１４に対応する周辺位置に複数隣接配置させてもよい。
【００２１】
図３（ａ）は、表示部１３に設けたブロック１４の平面模式図である。本実施形態の出力装置３は、上から下に向かって複数のブロック１４１〜１４ｎを有する。各ブロック１４は、左右に長尺の略矩形状の上面を情報表示面として有している。
【００２２】
ブロック１４は、左側から右側へ向かって順に、ブロック番号２１、色２２、イメージ２３及びシチュエーション２４を対応するように配置させた情報表示領域を有する。
【００２３】
イメージ２３には、色２２毎に対応した基本的なイメージを表示させることができ、各ブロック１４の色２２のイメージ２３に対応して印字等により予め表示させておくことができる。イメージ２３の表示領域には、文字表示領域２３１と点字表示領域２３２とが形成される。文字表示領域２３１には色２２毎に対応するイメージを表す文字が印字により表示され、点字表示領域２３２にはその文字を点字で表した凹凸模様が表示される。
【００２４】
また、シチュエーション２４には、各色２２の使用に適した場面や用途等を表示させておくことができる。シチュエーション２４には、文字表示領域２４１が形成される。文字表示領域２４１は液晶画面や有機ＥＬを配置して表示内容を変更可能に形成することができる。
【００２５】
図４は、出力装置３のブロック図である。出力装置３は、制御部３１、入力部３２、出力部３３及び記憶部３４を備える。入力部３２は、評価を行う対象物の検出部１１により検出された色データを入力する色入力部３２１（第一入力部）と、外部装置からデータを取得可能な外部入力部３２２（第二入力部）とを含む。色入力部３２１には、図２の検出装置２が取得した対象物の色データを入力することができる。色入力部３２１は、検出装置２から入力された色データを、制御部３１へ出力する。
【００２６】
外部入力部３２２は、有線又は無線により外部装置と接続することができる。例えば、外部入力部３２２は、ＳＤカードやＵＳＢメモリ等の着脱可能なメディアと接続可能な端子を備えてもよいし、ＰＣやスマートフォン等と接続可能な通信ケーブル用の端子を備えてもよい。また、外部入力部３２２は、ＷｉＦｉ（登録商標）やＢｌｕｅｔｏｏｔｈ（登録商標）等の無線により外部データを取得する無線通信部を備えてもよい。
【００２７】
出力部３３は、駆動部３３１と、外部に光を発する発光部３３２と、音声を出力させるスピーカ３３３とを含む。駆動部３３１は、図３に示したブロック１４を駆動させ出没させることができる。駆動部３３１の駆動は、上述した出没スイッチＳＷ２のオンオフにより制御することができ、出没スイッチＳＷ２をオンすることにより駆動部３３１が駆動可能となり、ブロック１４の出没が可能となる。一方、出没スイッチＳＷ２をオフすることにより駆動部３３１の駆動動作が停止し、検出装置２からの如何なるデータの入力があってもブロック１４は常に没入した状態となる。
【００２８】
発光部３３２は、ＬＥＤ等の光源により形成することができ、図１および図２に示したブロック１４が光るように配置したり、各ブロック１４に隣接或いは近接する周辺の位置にブロック１４に対応する色が発光するように配置することができる。
【００２９】
記憶部３４は、色テーブル３４１や色感出力装置１を制御するプログラム等を記憶する。図５は、色テーブル３４１の構成を示す図である。色テーブル３４１は、ブロック番号４１、色４２、イメージ４３、及び色４２が使われるシチュエーション４４を、対応して記憶する。
【００３０】
色４２は、予め定めた複数種類設けておくことができる。色４２の数は任意定めることができ、例えば、１８種類の各ブロック番号４１「１」〜「１８」に対応して、「赤」、「緑」、「青」、「黄」、「カーキ」、「黄緑」、「紺」、「水色」、「紫」、「薄紫」、「ピンク」、「臙脂」、「茶」、「オレンジ」、「ベージュ」、「灰」、「白」、「黒」の色を、それぞれ設定しておくことができる。１８種類の色４２を設定した場合は図３のデータの最終行であるブロック番号４１「ｎ」は「１８」となる。本実施形態では、色４２は、色データより詳しくは色データ４２１、音データ４２２として記憶される。色データ４２１は、上述した１８種類の各色４２を示す代表的（平均的）な色データである。また、色データ４２１は、検出装置２により検出された色データと比較可能なデータであり、三刺激値Ｘ、Ｙ、Ｚに基づく数値化したデータである。音データ４２２は、各色４２の名称（例えば「赤」）を読み上げた音声データである。
【００３１】
イメージ４３は、色４２が持つ基本的なイメージであり、本実施形態では、音データ４３１として記憶される。
【００３２】
イメージ４３としては、「ファッション」、「ブランディング」或いは「インテリア」等の様々な状況における基本的なイメージが記憶される。例えば、ファッションに関するイメージ４３としては、色４２が「赤」色の場合「派手」、「強い」、「目立つ」等を設定することができ、色４２が「緑」色の場合「安心」、「公正」、「安全」、「寛ぎ」、「調和」、「自然」、「成長」、「平和」、「公平」、「休息」、「リラックス」等を設定することができ、色４２が「青」色の場合「信頼」、「理想」、「知的」等を設定することができる。
【００３３】
また、色４２が「黄」色の場合「自由」、「斬新」、「元気」等を設定することができ、色４２が「カーキ」色の場合「平和」、「前衛的」、「都会的」等を設定することができる。色４２が「黄緑」色の場合「新鮮」、「若々しい」等を設定することができ、色４２が「紺」色の場合「素直」、「冷静」、「信頼」等を設定することができる。
【００３４】
色４２が「水色」の場合「清潔」、「爽やか」、「若々しい」等を設定することができ、色４２が「紫」色の場合「高貴」、「優雅」、「芸術的」等を設定することができる。色４２が「薄紫」色の場合「気品」、「上品」、「色気」等を設定することができ、色４２が「ピンク」色の場合「女性的」、「優しい」、「可愛い」等を設定することができる。
【００３５】
色４２が「臙脂」色の場合「文化」、「高級」、「気品」等を設定することができ、色４２が「茶」色の場合「安心」、「落ち着き」等を設定することができる。色４２が「オレンジ」色の場合「友好的」、「目立つ」等を設定することができ、色４２が「ベージュ」色の場合「安心」、「脇役」、「優しい」等を設定することができる。
【００３６】
さらに、色４２が「灰」色の場合「穏やか」、「落ち着き」等を設定することができ、色４２が「白」色の場合「清潔」、「純粋」、「清楚」等を設定することができ、色４２が「黒」色の場合「高級」、「都会的」、「神秘的」等を設定することができる。
【００３７】
イメージ４３の音データ４３１としては以上に例示したデータを記憶しておくことができ、図３に示した各ブロック１４（１４１，１４２,１４３，１４ｎ）上のイメージ２３を表示させる文字表示領域２３１及び点字表示領域２３２にも各色２２に対応する同様の情報を表示させておくことができる。
【００３８】
図５に戻り、シチュエーション４４を示すデータには、文字データ４４１及び音データ４４２が含まれる。
【００３９】
シチュエーション４４についても、「ファッション」、「ブランディング」或いは「インテリア」等の状況において、色４２に対応したカラーイメージ戦略が有効とされる内容を記憶する。本実施形態では、シチュエーション４４に文字データ４４１や音データ４４２を記憶することができるが、画像データを記憶してもよい。
【００４０】
例えば、ファッションに関するシチュエーション４４としては、色４２が「赤」色の場合「手強い相手と商談する」、「カリスマ性を演出する」、「講演をする」等を設定することができ、色４２が「緑」色の場合「選挙に出馬する」、「会議で大勢の同意を得る」等を設定することができ、色４２が「青」色の場合「リーダーシップをとる」、「プレゼンをする」、「お客様に信頼される」等を設定することができる。
【００４１】
また、色４２が「黄」色の場合「飲み会の幹事」、「立場が対等の仲間内のゴルフに参加する」、「飲み会での余興係」等を設定することができ、色４２が「カーキ」色の場合「おしゃれな人だと思われたい」、「飲み会に参加する」、「野外活動を行う」等を設定することができる。色４２が「黄緑」色の場合「新規のお客様と会う」、「ルートセールス」、「目上の方に可愛がってもらう」等を設定することができ、色４２が「紺」色の場合「目上の人に可愛がってもらう」、「初対面の方に合う」、「面接に行く」等を設定することができる。
【００４２】
色４２が「水色」の場合「新規のお役様に会う」、「重たい会議に出席する」、「ルートセールス」等を設定することができ、色４２が「紫」色の場合「カリスマ性を演出する」、「非凡な人と思われたい」、「オシャレな人と思われたい」等を設定することができる。色４２が「薄紫」色の場合「女性と仕事をする」、「お立場の高い女性に会う」等を設定することができ、色４２が「ピンク」色の場合「女性と仕事をする」、「初対面の方に会う」、「女性を励ます」等を設定することができる。
【００４３】
色４２が「臙脂」色の場合「大物と対等に話をする」、「フォーマルな場に出席する」、「文化的なイベントに出席する」等を設定することができ、色４２が「茶」色の場合「相手を安心させる」、「部下を見守る」、「お客様をアテンドする」等を設定することができる。色４２が「オレンジ」色の場合「チームワークを高める」、「立場が対等の仲間内のゴルフに参加する」、「立場が対等の業務提携契約を結ぶ」等を設定することができ、色４２が「ベージュ」色の場合「相手を安心させる」、「部下を見守る」、「お客様をアテンドする」等を設定することができる。
【００４４】
さらに、色４２が「灰」色の場合「部下を見守る」、「お客様をアテンドする」、「目立ちたくない会議に出席する」等を設定することができ、色４２が「白」色の場合「初対面の方に会う」、「重たい会議に出席する」、「キックオフミーティングに出席する」等を設定することができ、色４２が「黒」色の場合「大物に会う」、「相手を引き立てる」、「フォーマルな場に出席する」等を設定することができる。
【００４５】
なお、外部入力部３２２は、色テーブル３４１に予め記憶されたシチュエーション４４のデータ（本実施形態では文字データ４４１）と異なるシチュエーションのデータを外部装置から入力することができる。記憶部３４は、その外部入力部３２２から入力されたシチュエーションのデータを色テーブル３４１に記憶し、情報を追加したり書き換えしたりすることができる。
【００４６】
次に、色感出力装置１の使用方法について説明する。まず、使用者は、検出装置２の把持部１２を把持しながら、検出装置２により評価を行う被服等の対象物の色データを読み取らせる。読み取りの開始は、検出装置２の図示しないスイッチ等により指示することができる。
【００４７】
制御部３１は、色テーブル３４１を参照して、検出装置２から取得した色データに基づき、色入力部３２１から入力された色データと、記憶部３４に記憶された複数ある色４２の色データ４２１とを比較して、色４２のうち入力された色データに最も近似する色データ４２１を有する色を選択する（制御部３１は、記憶部３４に記憶された複数ある色４２の色データ４２１と入力された色データとの差を演算し、演算された差が最も小さい色データ４２１の色４２を選択する）。
【００４８】
その後、制御部３１は、選択された色４２に対応するブロック１４を駆動部３３１により出没動作させる。例えば、選択された色４２が「赤」である場合、制御部３１は、対応するブロック番号４１「１」のブロック１４１を上昇させて（図１も参照）、選択された色４２のイメージ２３が「派手」、「強い」、「目立つ」等であること、及びシチュエーション２４が「手強い相手と商談する」、「カリスマ性を演出する」、「講演をする」等であることを使用者に教示することができる。
【００４９】
また、このとき、制御部３１は、色テーブル３４１を参照して選択された色４２「赤」の音データ４２２と、その色４２に対応するイメージ４３の音データ４３１と、シチュエーション４４の音データ４３１を取得し、スピーカ３３３から読み上げるように出力させることができる（出力される音は、ボリュームを変更可能とすることとしてもよい）。また、制御部３１は、選択した色４２と同じ色の光を発光部３３２により発光させる。更に、制御部３１は、選択した色４２、選択した色４２に対応するイメージ４３及びシチュエーション４４を発光部３３２により発光させることができる。
【００５０】
制御部３１は、一定時間経過の後に或いは使用者による指示によって、駆動部３３１により上昇させたブロック１４（色４２「赤」が選択された場合はブロック１４１）を下降させて元の待機状態に戻す。また、このとき、制御部３１は発光させた発光部３３２を消灯させて、選択させた色の出力を終了させる。
【００５１】
以上、本実施形態の色感出力装置１によれば、使用者は対象物の色データを検出装置２により読み取ることで、読み取った色データに基づいて対象物のイメージや適したシチュエーション等の色の特徴をブロック１４等の出力により容易に得ることができる。また、その出力には、音声出力を含めることができるため、視覚に障害がある者にとっても対象物の特徴を教示することができる。さらに、ブロック１４にはイメージ２３を表示する点字を点字表示領域２３２に設けたため、使用者はイメージ２３を示す文字情報を認識できなくてもその内容を得ることができる。
【００５２】
また、発光部３３２により、取得した対象物の色データに近似するとして選択された色テーブル３４１の色４２を発光して出力させることができるため、色感出力装置１の使用者は、容易に対象物が分類された色を知ることができる。
【００５３】
（変形例）
次に、本実施形態の変形例について説明する。前述したように、各ブロック１４のシチュエーション２４には文字表示領域２４１が形成される例について説明したが、シチュエーション２４には文字表示領域２４１に対応する同様の情報を図６および図７に例示する点字で表示させた点字表示領域２４２をさらに形成してもよい（図６および図７では、黒色は突出部２４２ａ〜２４２ｆが突出した状態を示し、白色は突出部２４２ａ〜２４２ｆが没した状態を示す）。これにより、使用者は、シチュエーション２４に表示された情報を文字により認識できなくても、点字により取得することができる。
【００５４】
この場合、点字表示領域２４２は所謂点字ディスプレイとして形成することができ、駆動部３３１は、ブロック１４の他にも、点字表示領域２４２の点字を構成する突出部を可動させることができる。したがって、色感出力装置１は、外部入力部３２２から取得した可変するシチュエーション２４の情報を、点字によっても出力することができる。
【００５５】
点字ディスプレイの点字は、点字ディスプレイの表示面に出没可能な複数（６ケ）の突出部２４２ａ〜２４２ｆを有する。出力方法として、制御部３１は、例えば複数の点字について、一部毎或いは一字毎に表示及び消字を繰りして表示させることができる。また、表示の速度は使用者が任意に設定することができる。例えば、一の点字の表示終了後に一の点字の突出部を全て没して所定のインターバル時間をおいてその一の点字に続く次の点字を表示する第一出没モードと、一の点字の表示終了後に所定のインターバル時間をおかずに連続して一の点字に続く次の点字を表示する第二出没モード（例えば一の点字と続く次の点字との間で共通する突出部がある場合は、その共通する突出部の突出状態をそのまま維持しつつ所定のインターバル時間をおかずに連続して続く次の点字を表示する）とを、色感出力装置１の外装に形成したモード切替部により切り替えることができる。
【００５６】
すなわち、図６に示す例では、第一出没モードとして、「赤（あか）」を点字表示領域２４２で表示する例を示しており、突出部２４２ａを突出させて一の点字「あ」を表示し（図６（ａ））、次いで、突出部２４２ａを没してつまり突出部２４２ａ〜２４２ｆを全て没して所定のインターバル時間をおいた後（図６（ｂ））、突出部２４２ａおよび２４２ｆを突出させて一の点字「あ」に続く次の点字「か」を表示する（図６（ｃ））。
【００５７】
また、図７に示す例では、第二出没モードとして、突出部２４２ａを突出させて一の点字「あ」を表示し（図７（ａ））、次いで、突出部２４２ａを没することなくその突出状態を維持しつつ所定のインターバル時間をおかずに連続して更に突出部２４２ｆを突出させて続く次の点字「か」表示する（図７（ｂ））。
【００５８】
これにより、点字に読解能力に応じて表示のスピードを設定することができる。なおモード切替部はソフトウェアにより設けてもよい。
【００５９】
また、色感出力装置１は、点字ディスプレイによる出力を、有効及び無効に切り替えるスイッチを備えてもよい。これにより、点字ディスプレイによる出力を必要としない使用者等は、色感出力装置１の消費電力を低減することができる。
【００６０】
以上、本発明の実施形態について示したが、本実施形態は発明の構成を限定するものではなく、本発明はその趣旨を逸脱しない範囲で種々の変更を加えることができる。例えば、本実施形態では、ブロック１４においてシチュエーション２４の文字表示領域２４１が液晶画面や有機ＥＬ等により形成された例について説明したが、ブロック１４に表示される色２２、イメージ２３及びシチュエーション２４を表す文字も、液晶画面や有機ＥＬ等の表示を変更可能な画面により表示される構成としてもよい。
【００６１】
また、イメージ２３を表す点字及び／又は変形例で説明したシチュエーション２４を表す点字は、ブロック１４の表面に形成した例について説明したが、各点字は、ブロック１４の周辺の近傍位置に設けても良い。例えば、イメージ２３の点字表示領域２３２及びシチュエーション２４の点字ディスプレイ（点字表示領域）は、ブロック１４の左側又は右側の出没しない色感出力装置１の外装部に設けてもよい。
【００６２】
同様に、イメージ２３及びシチュエーション２４を表す文字は、ブロック１４の周辺の近傍位置に施してもよい。点字と同様に、例えば、イメージ２３の文字表示領域２３１及びシチュエーション２４の文字表示領域２４１は、ブロック１４の左側又は右側の出没しない色感出力装置１の外装部に設けてもよい。これにより、ブロック１４が占める領域を小さくしつつ、使用者がその近傍に表示された文字や点字によって色データを取得した対象物に関する情報を取得することができる。
【００６３】
また、色感出力装置１は、外部入力部３２２から使用者の個人認証を行う構成としてもよい。これにより、色感出力装置１は使用者のＩＤ等で紐付けて管理することができ、認証条件を満たした特定の人しか使えないようにすることができる。
【００６４】
また、色感出力装置１は、外部入力部３２２により認証した使用者に応じて、色テーブル３４１の各色４２に対応したシチュエーション４４として記憶された複数のシチュエーションのデータから、一つ又は一部を選択して出力部３３により出力させてもよい。
【００６５】
また、本実施形態では、色入力部３２１が検出装置２により色データを入力して、制御部３１により入力された色データが色テーブル３４１のいずれの色４２に近似するかを判定する処理について示したが、使用者が手入力により色テーブル３４１に設定された色４２を入力して、出力部３３により選択された色２２、イメージ２３及びシチュエーション２４を出力させる構成としてもよい。
【００６６】
また、本実施形態では、制御部３１は、色テーブル３４１を参照して選択された色４２の音データ４２２と、その色４２に対応するイメージ４３の音データ４３１と、シチュエーション４４の音データ４４２を取得し、スピーカ３３３から読み上げるように出力させる処理について示したが、所定のスイッチを設けて音データの出力をオンオフ可能とすることとしてもよい。
【００６７】
また、本実施形態では、検出部１１は、色彩計や分光測色計を用いて色を特定する所定のデータを検出することとしているが、他の機器や方法により色を特定する所定のデータを検出することとしてもよい。
【００６８】
すなわち、例えば、図８に示す変形例のように、検出装置２は、撮影部２００、画像データ入力部２０１、および検出部２０２を有することとしてもよい。
【００６９】
つまり、撮影部２００は、対象物を撮影するための機能部であり、フラッシュの光を発射しながら対象物の画像データを取得することができる。また、画像データ入力部２０１は、撮影部２００により撮影された対象物の画像データを入力し、検出部２０２は、撮影部２００により撮影された対象物の画像データから対象物の色を特定する所定のデータを検出、より詳しくは、検出部２０２は、画像データ入力部２０１により入力された画像データから対象物の色を検出して特定することとして、第一入力部３２１は、検出部２０２により検出された対象物の色を特定する所定のデータを入力するように構成してもよい。
【００７０】
撮影部２００により撮影された画像データは、ＲＧＢの各チャンネルを８ビットすなわち２５６の階調に分けて表現してその組み合わせ（Ｒ（赤色）：２５６×Ｇ（緑色）：２５６×Ｂ（青色）：２５６）でフルカラーを実現したデータとすることができ、２５６の階調は、０〜２５５の数値で表現することができる。検出部２０２は、例えば、画像データにおける各ＲＧＢの階調を示す数値を読み取ることにより対象物の色を特定する所定のデータを検出することができる。
【００７１】
ここで、撮影部２００は、図９に示すように、本発明の色感出力装置１を使用する使用者の有する端末装置３００のカメラ機能を利用とすることとしてもよく、端末装置３００は、携帯電話機、スマートフォン、およびタブレット端末等のカメラ機能を有する端末装置より詳しくは携帯端末装置とすることができる。図９（ｂ）に示すように、撮影部２００は、端末装置３００の撮影部２００の一要素となる所定のレンズ部２００ａを介して対象物の画像データを撮影することができる。
【００７２】
色感出力装置１は、図１０および図１１に示すように、対象物を外部から遮蔽する遮蔽具２を有することとして、遮蔽具２により、対象物を全方向から遮蔽することとしてもよい。遮蔽具２は、底面２ｂが開口する箱型として対象物に被せるように備えることができる。
【００７３】
すなわち、遮蔽具２は、上面が凹状の凹部２ｃとなっており、この凹部２ｃに端末装置３００を嵌め込んで固定し備えることができる。また、遮蔽具２は、上面に所定の貫通穴２ａが設けられており、端末装置３００のレンズ部２００ａの位置を遮蔽具２における所定の貫通穴２ａの位置に対応させて固定し対象物を撮影することができる。つまり、貫通穴２ａから箱型の遮蔽具２の内部を望むことができ、貫通穴２ａを介して端末装置３００のカメラ機能により対象物の表面を撮影することができる。
【００７４】
このように、遮蔽具２を用いて対象物を外部から遮蔽しながら撮影を行うことで、外部の光の影響を受けることが少なく、かつ、撮影の際に端末装置３００のフラッシュの光が外部に漏れることなくフラッシュの光を効率よく対象物に照射することができる。これにより、対象物の色を正確に撮影することができる。
【００７５】
なお、図１２に示すように、使用者の有する端末装置３００を、有線または無線の回線ＮＴより詳しくはネットワーク通信回線ＮＴを介して管理者の有する所定のサーバ４００に接続することとしてもよい（管理者は、本色感出力装置１による各種のサービスを管理する管理者とする）。
【００７６】
すなわち、端末装置３００は、撮影部２００およびレンズ部２００ａを有するとともに、上述した出力部３３より詳しくは駆動部３３１、発光部３３２、およびスピーカ３３３を端末装置３００に有するように構成することとしてもよい。そして、サーバ４００は、画像データ入力部２０１および検出部２０２を有するとともに、色入力部３２１、外部入力部３２２、記憶部３４（色テーブル３４１）、および制御部３１を有することとしてもよい。また、端末装置３００は、制御部３１からの制御信号を入力し記憶する制御信号記憶部３５を有し、出力部３３は、制御信号記憶部３５により記憶した制御信号に基づいて適宜のタイミングで各種の出力を行うこととしてもよい。
【００７７】
このように構成することにより、使用者は、端末装置３００により画像データを撮影してサーバ４００に送信するとともに、管理者がサーバ４００により色の検出、色の選択、制御部３１による制御を行い、更に端末装置３００を介して駆動部３３１によるブロック１４を介して出没動作、発光部３２２による発光、スピーカ３３３による音データ４２２（「赤」、「青」、・・・等の色４２の音データ４２２），４３１（色４２に対応するイメージ４３の音データ４３１），４４２（色４２に対応するシチュエーション４４の音データ４４２）の出力、を行うことができる。
【００７８】
なお、本実施形態では、出力部３３は、駆動部３３１によるブロック１４を介して出没動作、発光部３２２による発光、スピーカ３３３による音データ４２２，４３１，４４２の出力、文字表示領域２３１による文字の表示出力、文字表示領域２４１による文字データ４４１の出力のいずれも行うこととしているが、出没動作、発光、音データ４２２，４３１，４４２、文字表示領域２３１，２４１の出力のいずれか一つを行うことにより、色４２、色４２のイメージ４３及び色４２が使用されるシチュエーション４４を対応して出力することとして（出力部３３は、ブロック１４を介しての出没動作をさせずに発光、音データ４２２，４３１，４４２、また文字表示領域２３１，２４１のみの出力を行うこととして、色４２、色４２のイメージ４３及び色４２が使用されるシチュエーション４４を対応して出力することとしてもよい）、制御部３１は、記憶部３４に記憶された色４２のうち、第一入力部３２１から入力された色４２を特定する所定のデータに近似する色４２を選択して、該選択した色４２、並びに色４２に対応するイメージ４３及びシチュエーション４４を、出力部３３により出力させることとしてもよい。また、出力部３３による出力には、端末装置３００の所定の表示部（例えば、表示部は液晶画面や有機ＥＬ等による表示を含む）を介して色４２、色４２のイメージ４３及び色４２が使用されるシチュエーション４４の出力を全て文字データにより表示して行う構成を含むこととしてもよい。
【００７９】
なお、本実施形態の色感出力装置１の検出部１１，２０２、制御部３１、入力部３２、出力部３３、記憶部３４、撮影部２００、画像データ入力部２０１、色入力部３２１、外部入力部３２２、駆動部３３１、発光部３３２、スピーカ３３３、制御信号記憶部３５は、所定のプログラムを実行させることにより機能させることができる。
【００８０】
色感出力装置１は、コンピュータとしての一般的構成を備えており、図１３に示すように、相互にバス１Ａを介して接続された中央処理装置（ＣＰＵ、ＧＰＵ、ＤＳＰ）１Ｂ、記憶装置（ＲＯＭ、ＲＡＭ、ハードディスク、キャッシュメモリ）１Ｃ、入力装置（キーボード、タッチパネル、マウス）１Ｄ、表示装置（液晶ディスプレー）１Ｅ等を有している。記憶装置１Ｃは、コンピュータが読み取り可能な記憶媒体として機能し、記憶装置１Ｃにプログラムを記憶することができる。
【符号の説明】
【００８１】
１      色感出力装置                    １Ａ  バス
１Ｂ    中央処理装置                    １Ｃ  記憶装置
１Ｄ    入力装置                        １Ｅ  表示装置
２      遮蔽具
２ａ    穴                              ２ｂ  底面
２ｃ    凹部
１１    検出部
１２    把持部                          １３    表示部
１４（１４１,１４２，１４３,・・・１４ｎ）  ブロック
２１    ブロック番号                    ２２    色
２３    イメージ                        ２４    シチュエーション
３１    制御部                          ３２    入力部
３３    出力部                          ３４    記憶部
３５    制御信号記憶部
４１    ブロック番号                    ４２    色
４３    イメージ                        ４４    シチュエーション
２００  撮影部                          ２００ａ  レンズ部
２０１  画像データ入力部                ２０２  検出部
２３１  文字表示領域
２３２  点字表示領域                    ２４１  文字表示領域
３２１  色入力部                        ３００  使用者の端末装置
３２２  外部入力部
３３１  駆動部                          ３３２  発光部
３３３  スピーカ                
３４１  色テーブル                      ４００  管理者のサーバ
４２１  色データ
４２２  音データ                        ４３１  音データ
４４１  文字データ                      ４４２  音データ
ＳＷ１  電源スイッチ
【図１】
2020118975.tif 000003
【図２】
2020118975.tif 000004
【図３】
2020118975.tif 000005
【図４】
2020118975.tif 000006
【図５】
2020118975.tif 000007
【図６】
2020118975.tif 000008
【図７】
2020118975.tif 000009
【図８】
2020118975.tif 000010
【図９】
2020118975.tif 000011
【図１０】
2020118975.tif 000012
【図１１】
2020118975.tif 000013
【図１２】
2020118975.tif 000014
【図１３】
2020118975.tif 000015
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
予め定めた複数の色を記憶する記憶部と、
対象物の色を特定する所定のデータを入力する第一入力部と、
前記色、前記色のイメージ及び前記色が使用されるシチュエーションを対応して出力する出力部と、
前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部と、
を備えることを特徴とする色感出力装置。
【請求項２】
前記対象物の色を特定する所定のデータを検出する検出部を有し、
前記第一入力部は、前記検出部により検出された前記対象物の色を特定する所定のデータを入力することを特徴とする請求項１に記載の色感出力装置。
【請求項３】
前記対象物を撮影するための撮影部と、前記撮影部により撮影された前記対象物の画像データから前記対象物の色を特定する所定のデータを検出する検出部と、を有し、
前記第一入力部は、前記検出部により検出された前記対象物の色を特定する所定のデータを入力することを特徴とする請求項１に記載の色感出力装置。
【請求項４】
前記撮影部により撮影された前記対象物の画像データを入力する画像データ入力部を有し、
前記検出部は、前記画像データ入力部により入力された前記画像データから前記対象物の色を検出して特定することを特徴とする請求項３に記載の色感出力装置。
【請求項５】
前記対象物を外部から遮蔽する遮蔽具を有することを特徴とする請求項１乃至請求項４の何れか一項に記載の色感出力装置。
【請求項６】
前記遮蔽具は、前記対象物を全方向から遮蔽することを特徴とする請求項５に記載の色感出力装置。
【請求項７】
前記撮影部は、所定のレンズ部を介して前記対象物の画像データを撮影するとともに、前記遮蔽具は、所定の穴が設けられ、
前記レンズ部の位置を前記遮蔽具における所定の穴の位置に対応させて前記対象物を撮影することを特徴とする請求項３に記載の色感出力装置。
【請求項８】
色感出力装置のコンピュータを、
予め定めた複数の色を記憶する記憶部と、
対象物の色を特定する所定のデータを入力する第一入力部と、
前記色、前記色のイメージ及び前記色が使用されるシチュエーションを対応して出力する出力部と、
前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部として機能させることを特徴とするプログラム。
【請求項９】
請求項８に記載のプログラムを記憶することを特徴とするコンピュータ読み取り可能な記憶媒体。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
予め定めた複数の色を記憶する記憶部と、
対象物の色を特定する所定のデータを入力する第一入力部と、
前記色、前記色のイメージ及び前記色が使用されるシチュエーションを対応して出力する出力部と、
前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部と、
を備えることを特徴とする色感出力装置。
【請求項２】
前記対象物の色を特定する所定のデータを検出する検出部を有し、
前記第一入力部は、前記検出部により検出された前記対象物の色を特定する所定のデータを入力することを特徴とする請求項１に記載の色感出力装置。
【請求項３】
前記対象物を撮影するための撮影部と、前記撮影部により撮影された前記対象物の画像データから前記対象物の色を特定する所定のデータを検出する検出部と、を有し、
前記第一入力部は、前記検出部により検出された前記対象物の色を特定する所定のデータを入力することを特徴とする請求項１に記載の色感出力装置。
【請求項４】
前記撮影部により撮影された前記対象物の画像データを入力する画像データ入力部を有し、
前記検出部は、前記画像データ入力部により入力された前記画像データから前記対象物の色を検出して特定することを特徴とする請求項３に記載の色感出力装置。
【請求項５】
前記対象物を外部から遮蔽する遮蔽具を有することを特徴とする請求項１乃至請求項４の何れか一項に記載の色感出力装置。
【請求項６】
前記遮蔽具は、前記対象物を全方向から遮蔽することを特徴とする請求項５に記載の色感出力装置。
【請求項７】
前記対象物を撮影するための撮影部は、所定のレンズ部を介して前記対象物の画像データを撮影するとともに、前記遮蔽具は、所定の穴が設けられ、
前記レンズ部の位置を前記遮蔽具における所定の穴の位置に対応させて前記対象物を撮影することを特徴とする請求項５に記載の色感出力装置。
【請求項８】
色感出力装置のコンピュータを、
予め定めた複数の色を記憶する記憶部と、
対象物の色を特定する所定のデータを入力する第一入力部と、
前記色、前記色のイメージ及び前記色が使用されるシチュエーションを対応して出力する出力部と、
前記記憶部に記憶された前記色のうち、前記第一入力部から入力された前記色を特定する所定のデータに近似する前記色を選択して、該選択した前記色、並びに前記色に対応する前記イメージ及び前記シチュエーションを、前記出力部により出力させる制御部として機能させることを特徴とするプログラム。
【請求項９】
請求項８に記載のプログラムを記憶することを特徴とするコンピュータ読み取り可能な記憶媒体。